(57)【要約】【課題】本体メモリ及びバックアップメモリのデータ管理の向上を図ることを目的としている。【解決手段】携帯電話装置に、本体メモリの他に、バックアップメモリと、本体メモリ又はバックアップメモリの残存容量を認識する残存容量認識手段と、本体メモリに保存されるデータの内容を認識する本体メモリ内容認識手段と、バックアップメモリに保存されるデータの内容を認識するバックアップメモリ内容認識手段と、本体メモリ内容認識手段により認識されたデータの内容とバックアップメモリ内容認識手段により認識されたデータの内容を比較するデータ内容比較手段を設け、残存容量が所定の容量より少ない場合は、データ内容比較手段で比較されたデータのうち同一内容のデータを本体メモリ又はバックアップメモリからデータ削除手段で削除するようにした。【選択図】図１
2005101707.tif 000002
【特許請求の範囲】
【請求項１】
本体メモリと、
バックアップメモリと、
前記本体メモリ又はバックアップメモリの残存容量を認識する残存容量認識手段と、
前記本体メモリに保存されるデータの内容を認識する本体メモリ内容認識手段と、
前記バックアップメモリに保存されるデータの内容を認識するバックアップメモリ内容認識手段と、
前記本体メモリ内容認識手段により認識されたデータの内容と前記バックアップメモリ内容認識手段により認識されたデータの内容を比較するデータ内容比較手段を有し、
前記残存容量が所定の容量より少ない場合は、前記データ内容比較手段で比較されたデータのうち同一内容のデータを本体メモリ又はバックアップメモリから削除するデータ削除手段を設けた携帯電話装置。
【請求項２】
本体メモリと、
バックアップメモリと、
前記本体メモリの残存容量を認識する残存容量認識手段と、
前記本体メモリへの新規保存データの容量を認識する新規保存データ容量認識手段と、
前記本体メモリに保存されるデータの内容を認識する本体メモリ内容認識手段と、
前記バックアップメモリに保存されるデータの内容を認識するバックアップメモリ内容認識手段と、
前記本体メモリ内容認識手段により認識されたデータの内容と前記バックアップメモリ内容認識手段により認識されたデータの内容を比較するデータ内容比較手段を有し、
前記残存容量が前記新規保存データの容量より少ない場合は、前記データ内容比較手段で比較されたデータのうち同一内容のデータを本体メモリから削除するデータ削除手段を設けた携帯電話装置。
【請求項３】
本体メモリと、
バックアップメモリと、
前記バックアップメモリの残存容量を認識する残存容量認識手段と、
前記バックアップメモリへの新規保存データの容量を認識する新規保存データ容量認識手段と、
前記本体メモリに保存されるデータの内容を認識する本体メモリ内容認識手段と、
前記バックアップメモリに保存されるデータの内容を認識するバックアップメモリ内容認識手段と、
前記本体メモリ内容認識手段により認識されたデータの内容と前記バックアップメモリ内容認識手段により認識されたデータの内容を比較するデータ内容比較手段を有し、
前記残存容量が前記新規保存データの容量より少ない場合は、前記データ内容比較手段で比較されたデータのうち同一内容のデータをバックアップメモリから削除するデータ削除手段を設けた携帯電話装置。
【請求項４】
前記データ削除手段は、少なくとも前記本体メモリが前記新規保存データを保存できるように前記同一内容のデータの一部を削除する請求項２記載の携帯電話装置。
【請求項５】
前記データ削除手段は、少なくとも前記バックアップメモリが前記新規保存データを保存できるように前記同一内容のデータの一部を削除することを特徴とした請求項３記載の携帯電話装置。
【請求項６】
前記本体メモリ内容認識手段又は前記バックアップメモリ認識手段により認識されたデータを保護するデータ保護手段を設けた請求項１から５の何れか一つに記載の携帯電話装置。
【発明の詳細な説明】
【技術分野】
【０００１】
本発明は、メモリのデータをバックアップするバックアップメモリを備えた携帯電話装置に関する。
【背景技術】
【０００２】
近年、携帯電話装置に関する技術進歩は目覚しく、扱うデータ容量が多くなっているため、携帯電話装置に備えられるメモリの大容量化が図られている。
【０００３】
また、本体メモリに保存されるデータが何らかの原因により削除されるのを防ぐために、本体メモリとは別のバックアップ用のメモリを携帯電話装置に備える技術もある。これによって、バックアップ用のメモリは本体メモリと同様の内容のデータを保存することができるため、データを確実に管理することができる。
【０００４】
また、このバックアップメモリ用のメモリを携帯電話装置ではなく充電器に備えることにより、携帯電話装置を充電する時に、本体メモリのデータのバックアップデータを充電器に備えるメモリに保存するという携帯電話装置もある。これによって、携帯電話装置が故障し本体メモリのデータが消去されたとしても、充電器に備えるメモリの同一内容のデータが保存されているため、データを確実に管理することができる。
【０００５】
さらに上記発明は充電器に備えるメモリの容量が限度を超えた場合、重要度の低いデータを充電器に備えるメモリから削除して、新たなデータを保存するようにしている（例えば特許文献１）。
【特許文献１】特開２０００−３１２１７８号公報（第３−９頁、第１，２，７図）
【発明の開示】
【発明が解決しようとする課題】
【０００６】
しかしながら、上記の携帯電話装置に備える本体メモリやバックアップメモリは保存容量に限界があるため、残存容量が少ない場合は、新規なデータを保存することができない。
【０００７】
また新規なデータを保存するという観点からすれば、上記の携帯電話装置は、同一内容のデータが本体メモリとバックアップメモリの両方に保存されているため、これらメモリの保存容量を有効に活用しているといえない。すなわち、新規なデータを本体メモリに保存したい場合、本体メモリの残存容量が少なければ、この新規データを保存することができない。その一方で、本体メモリで保存されているデータは、別のメモリにバックアップとして保存されている。そのため、この同一内容のデータについては本体メモリから削除しておき、この新規データを保存できるようにメモリの残存容量を確保した方がデータ管理の効率が良い。
【０００８】
さらに、上記従来の携帯電話装置では、バックアップ用のメモリ手段のメモリ容量が限度を越えた場合、逐次、重要度が低いデータを消去して新しいデータを保存するようにしているが、消去対象のデータが本体メモリに保存されていることを確認しないで消去している。そのため、消去したデータが既に本体メモリに残っていないときには、データの修復はできなくなってしまい、データを確実に管理する上で問題を生じる可能性があった。
【０００９】
そこで本発明は、本体メモリ又はバックアップメモリのメモリ容量が限度を越えた場合、本体メモリとバックアップメモリの両方に記憶されているデータを消去対象として、一方のメモリに記憶されているデータを削除してメモリの残存容量を確保するようにして、データ管理の効率を高めたバックアップメモリ付き携帯電話装置を提供することを第一の目的としている。
【００１０】
そして、データを消しても依然として本体メモリ又はバックアップメモリのどちらかにデータが保存されているというデータ管理上の安全性を確保したバックアップメモリ付き携帯電話装置を提供することを第二の目的としている。
【課題を解決するための手段】
【００１１】
本発明は、本体メモリと、バックアップメモリと、本体メモリ又はバックアップメモリの残存容量を認識する残存容量認識手段と、前記本体メモリに保存されるデータの内容を認識する本体メモリ内容認識手段と、前記バックアップメモリに保存されるデータの内容を認識するバックアップメモリ内容認識手段と、前記本体メモリ内容認識手段により認識されたデータの内容と前記バックアップメモリ内容認識手段により認識されたデータの内容を比較するデータ内容比較手段を有し、前記残存容量が所定の容量より少ない場合は、前記データ内容比較手段で比較されたデータのうち同一内容のデータを本体メモリ又はバックアップメモリから削除するデータ削除手段を設けた携帯電話装置である。
【００１２】
この構成により、本体メモリ又はバックアップメモリの残存容量が少ない場合には、同一内容のデータを本体メモリ又はバックアップメモリから削除することができるため、データ管理の効率化を図ることができる。また、一方のメモリのデータを削除しても同一内容のデータが他方のメモリに保存されているため、データ管理上の安全性が確保できる。
【００１３】
また本発明は、本体メモリと、バックアップメモリと、前記本体メモリの残存容量を認識する残存容量認識手段と、前記本体メモリへの新規保存データの容量を認識する新規保存データ容量認識手段と、前記本体メモリに保存されるデータの内容を認識する本体メモリ内容認識手段と、前記バックアップメモリに保存されるデータの内容を認識するバックアップメモリ内容認識手段と、前記本体メモリ内容認識手段により認識されたデータの内容と前記バックアップメモリ内容認識手段により認識されたデータの内容を比較するデータ内容比較手段を有し、前記残存容量が前記新規保存データの容量より少ない場合は、前記データ内容比較手段で比較されたデータのうち同一内容のデータを本体メモリから削除するデータ削除手段を設けた携帯電話装置である。
【００１４】
この構成により、本体メモリの残存容量が新規保存データ容量より少ない場合に、同一内容のデータを削除することができるため、データ管理の効率化を図ることができる。
【００１５】
また本発明は、本体メモリと、バックアップメモリと、前記バックアップメモリの残存容量を認識する残存容量認識手段と、前記バックアップメモリへの新規保存データの容量を認識する新規保存データ容量認識手段と、前記本体メモリに保存されるデータの内容を認識する本体メモリ内容認識手段と、前記バックアップメモリに保存されるデータの内容を認識するバックアップメモリ内容認識手段と、前記本体メモリ内容認識手段により認識されたデータの内容と前記バックアップメモリ内容認識手段により認識されたデータの内容を比較するデータ内容比較手段を有し、前記残存容量が前記新規保存データの容量より少ない場合は、前記データ内容比較手段で比較されたデータのうち同一内容のデータをバックアップメモリから削除するデータ削除手段を設けた携帯電話装置である。
【００１６】
この構成により、バックアップメモリの残存容量が新規保存データ容量より少ない場合に、同一内容のデータを削除することができるため、データ管理の効率化を図ることができる。
【００１７】
また本発明は、前記データ削除手段は、少なくとも前記本体メモリが前記新規保存データを保存できるように同一内容の一部のデータを削除する携帯電話装置である。
【００１８】
この構成により、本体メモリは、少なくとも新規保存データの容量分だけ残存容量を確保できる。
【００１９】
また本発明は、前記削除手段は、少なくとも前記バックアップメモリが前記新規保存データを保存できるように同一内容の一部のデータを削除することを特徴とした携帯電話装置である。
【００２０】
この構成により、バックアップメモリは、少なくとも新規保存データの容量分だけ残存容量を確保できる。
【００２１】
また本発明は、前記本体メモリ内容認識手段又は前記バックアップメモリ認識手段により認識されたデータを保護するデータ保護手段を設けた携帯電話装置である。
【００２２】
この構成により、本体メモリ又はバックアップメモリに保存されるデータ内容を認識し保護することができるため、同一内容のデータの中で保護すべきデータについては削除することなく管理することができる。
【発明の効果】
【００２３】
本発明によれば、本体メモリ又はバックアップメモリの残存容量が少ない場合に、同一内容のデータを本体メモリ又はバックアップメモリから削除することができるため、データ管理の効率化を図ることができるとともに、データ管理上の安全性を確保することができる。
【発明を実施するための最良の形態】
【００２４】
（実施の形態１）
以下、本発明の第１の実施の形態に係る携帯電話装置を図面と共に説明する。図１は、本発明の第１の実施の形態に係る携帯電話装置の構成のブロック図である。図２は、本発明の第１の実施の形態に係る携帯電話装置の外観図である。
【００２５】
図１において、１は本体メモリであって住所、電話番号、メールアドレス等の個人情報、映像データ、音声データ等の種々のデータを保存するための記憶媒体である。２は本体メモリとは別個のバックアップメモリである。また、３は本体メモリ１の保存されているデータの残存容量を認識するための手段であり、あるデータを本体メモリ１へ保存した後に本体メモリ１の残存容量を認識する。制御手段４は、本体メモリ１、バックアップメモリ２を制御するものであって、各メモリの保存データの内容の認識、各メモリ間のデータの転送及び保存等のデータ管理を行う。５は本体メモリ内容認識手段であって本体メモリに保存されているデータ内容を認識するものである。また、６はバックアップメモリ内容認識手段であってバックアップメモリ２に保存されているデータ内容を認識するものである。データ内容比較手段７は制御手段４に備えられ、本体メモリ内容認識手段５により保存されたデータの内容とバックアップメモリ内容認識手段６により保存されたデータの内容を比較することで、両メモリに同一内容のデータが保存されているか否かを認識するためのものである。そして、８は本体メモリのデータを削除するデータ削除手段であって、制御手段４に備えられる。２０７は電源であって、制御手段４等に電力を供給する。１０６はディスプレイで本体メモリに保存されているファイルの内容等を表示する。１０５は機能ボタンであって、ユーザーは機能ボタン１０５を操作することで制御手段を動作させることができる。
【００２６】
２０１はアンテナであり、このアンテナ２０１に送受信部２０２を接続している。この送受信部２０２は、送信／受信を振り分けるアンテナスイッチを備えており、アンテナ２０１からの信号の受信、アンテナ２０１への信号の送信を行う。そして、この送受信部２０２に通信制御部２０３及び音声処理部２０４を順に接続し、この音声処理部２０４に受話側のスピーカ２０５及び送話側のマイクロフォン２０６を接続する。スピーカ２０５は、音声処理部２０４からの信号を音として外部へ出力する。マイクロフォン２０６は、外部からの音声をひろい、信号を音声処理部２０４へ出力する。通信制御部２０３は、送受信部２０２へ信号を送受信し、音声処理部２０４から送られる音声データの制御や、制御手段４へ信号の送信等を行う。音声処理部２０４は、通信制御部２０３から送られた音声信号を変調しスピーカ２０５へ出力し、またマイクロフォン２０６からの信号を変調し通信制御部２０３へ出力する。なお、通信制御手段にはインターネット接続制御機能を持たせており、インターネットのデータ配信サーバーに接続してデータをダウンロードして、制御手段４の制御により、本体メモリ１に保存するようにもしている。
【００２７】
図２において、本体メモリ１及びバックアップメモリ２等の図１で示した構成は、携帯電話装置１００の内部に配置している、携帯電話装置１００の筐体１０１には、テンキー１０２、通話開始キー１０３、終話キー１０４と機能ボタン１０５を配置し、機能ボタン１０５の上部にディスプレイ１０６を配置している。ユーザーはディスプレイ１０６を見ながら機能ボタン１０５を押すことでデータの保存等を行う。
【００２８】
以上のように構成された携帯電話装置について、以下その動作を図３を用いて説明する。図３は本発明の実施の形態１について、本体メモリに新しいデータを保存する際に既に保存されているデータを削除する時の動作のフローチャートである。ここでは、携帯電話装置１００のインターネット接続機能を動作させて、図示しないインターネットのデータ配信サーバーからフアイル単位でデータをダウンロードする場合の動作を説明する。
【００２９】
まず、ユーザーは携帯電話装置１００のインターネット接続機能を動作させてデータ配信サーバーにアクセスし、データ配信サーバーからダウンロード可能なデータファイル名とデータサイズの情報を得て、ディスプレイ１０６にダウンロードしたいデータファイル名を表示させ、機能ボタン１０５ｃを押しユーザーが保存したいファイルを本体メモリ１（保存容量：５ＭＢ）へ保存する（Ｓ１）。そして、本体メモリ１のデータのバックアップをとるために、ユーザーは機能ボタン１０５を操作し本体メモリ１及びバックアップメモリ２へアクセスし、制御手段４を制御して本体メモリ１に保存されているファイルをバックアップメモリ２（保存容量：１６ＭＢ）へ移し保存する（Ｓ２）。なお、バックアップは本体メモリ１の保存データを全て保存する必要はなく、バックアップとして残しておきたいデータ分をバックアップメモリ２へ保存しても良い。
【００３０】
次に、ユーザーは機能ボタン１０５を操作し残存容量認識手段３により本体メモリ１の残存容量を認識する（Ｓ３）。そして、その残存容量が所定の容量より多い場合はデータ内容比較手段７及びデータ削除手段８を動作させず、その残存容量が所定の容量より少ない場合はデータ内容比較手段７及びデータ削除手段８を動作させる。具体的には、所定の容量を本体メモリ１の保存容量の１０パーセントの０．５ＭＢとする。これにより、残存容量認識手段３により認識されたバックアップメモリ２の残存容量が０．５ＭＢ以上である場合はデータ内容比較手段７及びデータ削除手段８を動作させず、０．５ＭＢ未満である場合は内容比較手段５及びデータ削除手段８を動作させる。なお、所定の容量は、ユーザーによって任意に設定できるようにしてもよく、また必ずしも本体メモリ１の保存容量の１０パーセントとする必要はない。
【００３１】
例えば、ステップ３の段階で残存容量認識手段３により認識された本体メモリ１の残存容量が０．３ＭＢであったとすると、残存容量が所定の容量である０．５ＭＢより少ないから、ステップ４以降の動作にうつる。
【００３２】
まず、本体メモリ内容認識手段５及びバックアップメモリ内容認識手段６によって各メモリに保存されているデータの内容を認識する（Ｓ４）。そしてデータ内容比較手段７によって、各メモリに保存されているデータを比較し同一内容のデータが保存されているか否かを認識する（Ｓ５）。ここでは、同一内容のデータの容量が２．０ＭＢとする。そしてデータ削除手段８によって、本体メモリ１とバックアップメモリ２の同一内容のデータを本体メモリ１から削除する（Ｓ６）。これにより、本体メモリ１の残存容量は０．３ＭＢから２．３ＭＢへ増量されることとなる。
【００３３】
これによって、本体メモリ１及びバックアップメモリ２の容量を有効に活用することができ、データ管理の効率化を図ることができる。本体メモリの残存容量が所定の容量以上確保され、新規データを保存することが可能になり、またバックアップメモリ２には、本体メモリ１に保存されていたデータのバックアップがされており本体メモリの保存データと同一内容が保存されている。そのため、同一内容のデータについては、本体メモリ１から削除してもバックアップメモリ２に保存されているからデータを損失するおそれはなく、また本体メモリ１の残存容量を増量しながらデータ管理の安全性も同時に確保することができる。
【００３４】
なお、上記の実施の形態では、残存容量認識手段３によって本体メモリ１の残存容量を認識する構成としたが、図４に示すようにバックアップメモリ２の残存容量を認識する構成として動作させてもよい。またデータ削除手段８によってバックアップメモリ２に保存されている同一内容のデータを削除する構成であってもよい。
【００３５】
また、本体メモリ１とバックアップメモリ２の同一内容のデータを削除する場合、どちらのメモリのデータを削除するか任意に選択できるよう構成してもよい。すなわち、制御手段４についてデータ削除手段８を制御することで本体メモリ１又はバックアップメモリ２を選択しデータを削除できる構成とする。そして、ユーザーは、図３及び図４に示すフローチャートの動作をする前に、予め機能ボタン１０５等を操作することで制御手段４を制御し、データを削除するメモリを選択する。そして、削除するメモリとして本体メモリ１を選択した場合は図３のフローチャートを、バックアップメモリ２を選択した場合は図４のフローチャートを動作させることとなる。これにより、よりデータ管理の効率化を図ることができる。
【００３６】
（実施の形態２）
上記実施の形態１では、あるデータを保存した後に本体メモリ１の残存容量を認識したが、ファイルを保存する前に残存容量を認識し、データを削除してもよい。以下、実施の形態２として説明する。なお、基本的な構成は実施の形態１と同じであるためブロック図と外観図は省略する。図５に動作のフローチャートを示す。
【００３７】
図５に示すように、まずユーザーはサーバーにアクセスし、データ配信サーバーからダウンロード可能なデータファイル名とデータ容量の情報を得て、ディスプレイ１０６にダウンロードするデータファイル名を表示させ制御手段４によりダウンロードされるファイルを特定する（Ｓ４１）。次に、ユーザーは機能ボタン１０５を操作し残存容量認識手段３により本体メモリ１の残存容量を認識し、制御手段４は残存容量が所定の容量より多いか少ないかを判断する（Ｓ４２）。残存容量が所定の容量より少ない場合は、制御手段４は本体メモリ内容認識手段５及びバックアップメモリ内容認識手段６により各メモリの内容を認識する（Ｓ４３）。ここで本体メモリ内容認識手段５及びバックアップメモリ内容認識手段６は、各メモリに保存されるそれぞれのファイルの内容だけではなく容量も認識する。制御手段４にあるデータ内容比較手段７は、ステップ４３で認識したフアイルの内容を比較して、同一内容のフアイルを求める（Ｓ４４）。そして、所定の容量に対して不足している容量に最も近いフアイルを特定する（Ｓ４５）。そして、データ削除手段８によって、ステップ４５で特定したフアイルを本体メモリ１から削除する（Ｓ４６）。そして、再びステップ４２に戻り、本体メモリ１の残存容量が所定の容量以上であるかを比較する。このとき本体メモリ１の残存容量が所定の容量以上であれば、携帯電話装置１００からインターネットのデータ配信サーバーにダウンロードを要求する信号を送り、データ配信サーバーから送られてきたデータを本体メモリ１に保存する（Ｓ４７）。
【００３８】
なお、ステップ４６でフアイルを本体メモリ１から削除した後、ステップ４２に戻り、本体メモリ１の残存容量が所定の容量以上であるかを比較したときに、依然として残存容量が所定の容量以下であれば、ステップ４３からステップ４６の動作を繰り返して、本体メモリ１とバックアップメモリの両方に保存されているフアイルの中から、不足している容量に最も近いものを削除するようにしている。
【００３９】
また、ステップ４１の表示手段にダウンロードしたいデータフアイル名を表示させた時点で、本体メモリ１の残存容量が所定の容量以上であれば（ステップＳ４２）、ステップ４３からステップ４６の動作を行うことなく、携帯電話装置１００からインターネットのデータ配信サーバーにダウンロードを要求する信号を送り、データ配信サーバーから送られてきたデータを本体メモリ１に保存する（Ｓ４７）。
【００４０】
これによって、新規データを保存するときに本体メモリの残存容量が所定の容量に満たない場合であっても、残存容量を増加させることができ、データ管理の安全性も確保することができる。
【００４１】
（実施の形態３）
以下、本発明の第３の実施の形態に係る携帯電話装置を図面と共に説明する。図６は、本発明の第３の実施の形態に係る携帯電話装置の構成のブロック図であって、基本的な構成は本発明の第１の実施の形態に係る携帯電話装置と同様であるが、制御手段に新規保存データ容量認識手段を設けた。
【００４２】
図６において、９は新規保存データ容量認識手段であって、音声、映像等のデータのファイルを新たに本体メモリ１に保存するときにその新たなファイルである新規保存データの容量を認識するための手段である。これにより、本体メモリへ保存する新たなデータの容量をメモリに保存する前に認識する。
【００４３】
以上のように構成された携帯電話装置について、以下その動作を図７を用いて説明する。図７は本発明の実施の形態３について、本体メモリのデータを削除し、新規保存データを保存する時の動作のフローチャートである。
【００４４】
まずユーザーはディスプレイ１０６を見つつ機能ボタン１０５を操作して保存したいファイルを選択する。この時に、本体メモリへ保存されるファイルのデータの容量を新規保存データ容量認識手段９によって認識する（Ｓ５１）。
【００４５】
次に、残存容量認識手段３により本体メモリの残存容量を認識する（Ｓ５２）。そして、その残存容量が新規保存データの容量（Ａ）より多い場合は新規保存データを本体メモリ１へ保存し（Ｓ５８）、残存容量が新規保存データの容量（Ａ）より少ない場合は下記の通りデータ内容比較手段７等を動作させる（Ｓ５３）。
【００４６】
本体メモリ１の残存容量が新規保存データの容量（Ａ）より少ない場合は、本体メモリ内容認識手段５によって本体メモリ１に保存されているデータ内容を、バックアップメモリ内容認識手段６によってバックアップメモリ２に保存されているデータ内容を認識する（Ｓ５４）。そして、データ内容比較手段７により本体メモリ１とバックアップメモリ２に保存されているデータの内容を比較し（Ｓ５５）、各メモリ共に保存されている同一内容のデータを認識する（Ｓ５６）。そして、データ削除手段８は、本体メモリ１から同一内容のデータを削除する（Ｓ５７）。これにより本体メモリ１は残存容量を増量させることができる。そして、本体メモリに新規保存データを保存する（Ｓ５８）。
【００４７】
これによって、本体メモリ１及びバックアップメモリ２の容量を有効に活用することができ、データ管理の効率化を図ることができる。本体メモリの残存容量が所定の容量以上確保され、新規データを保存することが可能になり、またバックアップメモリ２には、本体メモリ１に保存されていたデータのバックアップがされおり本体メモリの保存データと同一内容が保存されている。そのため、同一内容のデータについては、本体メモリ１から削除してもバックアップメモリ２に保存されているからデータを損失するおそれはなく、また本体メモリ１の残存容量を増量しながらデータ管理の安全性も同時に確保することができる。
【００４８】
また、データ削除手段８によって本体メモリから同一内容のデータを削除するときに、少なくとも本体メモリが新規保存データを保存できるように同一内容のデータの一部を削除するように構成してよい。すなわち同一内容のデータについて削除するのではなく、その同一内容のデータの一部だけ削除し新規保存データの容量分だけ残存容量を確保すれば良い。これによって、少なくとも新規保存データの容量分だけ残存容量を確保することができ、必要以上にデータを削除する必要がないため、よりデータ管理の効率化を図ることができる。
【００４９】
なお、本発明の実施の形態３では、残存容量認識手段３によって本体メモリ１の残存容量を認識する構成としたが、バックアップメモリ２の残存容量を認識する構成として動作させてもよい。またデータ削除手段８によってバックアップメモリ２に保存されている同一内容のデータを削除する構成であってもよい。
【００５０】
また、本体メモリ１とバックアップメモリ２の同一内容のデータを削除する場合、どちらのメモリのデータを削除するか任意に選択できるよう構成してもよい。すなわち、制御手段４についてデータ削除手段８を制御することで本体メモリ１又はバックアップメモリ２を選択しデータを削除できる構成とする。そしてユーザーは、上記のフローチャートの動作をする前に、予め機能ボタン１０５等を操作することで制御手段４を制御し、データを削除するメモリを選択する。そして、削除するメモリとして本体メモリ１を選択した場合は図７のフローチャートを、バックアップメモリ２を選択した場合はバックアップメモリのデータを削除するフローチャートを動作させることとなる。これにより、よりデータ管理の効率化を図ることができる。
【００５１】
（実施の形態４）
以下、本発明の第４の実施の形態に係る携帯電話装置を図面と共に説明する。図８は、本発明の第４の実施の形態に係る携帯電話装置の構成のブロック図であって、基本的な構成は本発明の第１の実施の形態に係る携帯電話装置と同様であるが、制御手段にデータ保護手段１０を設けた。
【００５２】
図８において、１０はデータ保護手段であって本体メモリ内容認識手段５又はバックアップメモリ内容認識手段６により認識したデータが削除されないように保護するものである。
【００５３】
以上のように構成されたデータ再生装置を有する携帯電話装置について、本体メモリのデータを削除する時の動作を説明する。図９は本発明の第４の実施の形態に係るディスプレイ１０６の遷移図を、図１０は本発明の第４の実施の形態の動作のフローチャートである。
【００５４】
基本的には同一内容のデータを削除するまでの過程は本発明の実施の形態１と同一であるが、ステップ４の各メモリに保存されているデータの内容を認識したときに、その保存データの内容を保護して、削除する対象から除外するように設定する。具体的には図９（ａ）に示すように、本体メモリ内容認識手段５又はバックアップメモリ内容認識手段６によって認識されたデータ内容をディスプレイ１０６に表示する。図９（ａ）においては、本体メモリに保存されているデータ内容を表示しており、保存ファイルの名前７１が表示されている。そして、図９（ｂ）に示すようにユーザーは機能ボタン１０５ｄ、１０５ｅを押すことでカーソル７２を上下に移動させ保護すべきデータを選択する。そして、図９（ｃ）に示すようにユーザーに対してデータを保護するか否かを確認するためのメッセージ７３が表示され、機能ボタン１０５ａ、１０５ｂを押しカーソル７４を移動させ、カーソル７４がＹＥＳの表示の位置にあるときに機能ボタン１０５ｃを押すことによりデータを保護する（Ｓ８１）。一方、カーソル７４がＮＯの表示の位置にあるときに機能ボタン１０５ｃを押すとデータを保護するか否かの選択画面から図９（ｂ）の画面へ遷移する。
【００５５】
次に、本発明の実施の形態１と同様にステップ５において、各メモリに保存されている保護されているデータ以外のデータの内容を比較する（Ｓ５）。そしてステップ６において同一内容のデータを削除する（Ｓ６）。これによって、ステップ６の段階でデータを削除したとしても、同一内容のデータに保護されているデータが含まれている場合、その保護されたデータについては削除されない。
【００５６】
以上により、本体メモリ１及びバックアップメモリ２に保存されているデータの内、予め設定したデータについては保護することができるため、特に重要度の高いデータについては両方のメモリに保存し確実に保護しつつ、各メモリの容量を有効に活用することができる。なお、どのファイルを保護するかは予め設定しておいてもよい。
【産業上の利用可能性】
【００５７】
本発明にかかる携帯電話装置は、本体メモリ又はバックアップメモリの残存容量が少ない場合に、同一内容のデータを本体メモリ又はバックアップメモリから削除することによりデータ管理の効率化を図ることができるため、メモリを備える携帯電話装置等に有用である。
【図面の簡単な説明】
【００５８】
【図１】本発明の第１の実施の形態に係る携帯電話装置のブロック図
【図２】本発明の第１の実施の形態に係る携帯電話装置の外観図
【図３】本発明の第１の実施の形態に係る携帯電話装置の動作例を示すフローチャート
【図４】本発明の第１の実施の形態に係る携帯電話装置の動作例を示すフローチャート
【図５】本発明の第２の実施の形態に係る携帯電話装置の動作例を示すフローチャート
【図６】本発明の第３の実施の形態に係る携帯電話装置のブロック図
【図７】本発明の第３の実施の形態に係る携帯電話装置の動作例を示すフローチャート
【図８】本発明の第４の実施の形態に係る携帯電話装置のブロック図
【図９】本発明の第４の実施の形態に係るディスプレイの遷移図
【図１０】本発明の第４の実施の形態に係る携帯電話装置の動作例を示すフローチャート
【符号の説明】
【００５９】
１    本体メモリ
２    バックアップメモリ
３    残存容量認識手段
４    制御手段
５    本体メモリ内容認識手段
６    バックアップメモリ内容認識手段
７    データ内容比較手段
８    データ削除手段
９    新規保存データ容量認識手段
１０    データ保護手段
【図１】
2005101707.tif 000003
【図２】
2005101707.tif 000004
【図３】
2005101707.tif 000005
【図４】
2005101707.tif 000006
【図５】
2005101707.tif 000007
【図６】
2005101707.tif 000008
【図７】
2005101707.tif 000009
【図８】
2005101707.tif 000010
【図９】
2005101707.tif 000011
【図１０】
2005101707.tif 000012